【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
データを送信する際の伝送レートを、前記データの送信先である通信装置から送信されるＣＱＩ（Channel Quality Indicator）に基づいて決定する無線送信装置であって、
前記通信装置から送信される、ＣＱＩを含む信号を受信する受信手段と、
前記ＣＱＩを含む信号の尤度に基づいて、この信号に含まれるＣＱＩを補正する補正手段と、
補正後のＣＱＩに基づいて、前記通信装置へデータを送信する際の伝送レートを決定する伝送レート決定手段と、
を具備することを特徴とする無線送信装置。
【請求項２】
前記補正手段は、
前記ＣＱＩの補正の度合いを前記尤度に基づいて決定することを特徴とする請求項１記載の無線送信装置。
【請求項３】
前記補正手段は、
前記尤度に加えて、前記ＣＱＩの値の大きさに基づいて、このＣＱＩを補正することを特徴とする請求項１記載の無線送信装置。
【請求項４】
前記補正手段は、
所定値以上のＣＱＩを低く補正することを特徴とする請求項３記載の無線送信装置。
【請求項５】
前記補正手段は、
前記尤度に加えて、前記通信装置の移動速度に基づいて、前記ＣＱＩを補正することを特徴とする請求項１記載の無線送信装置。
【請求項６】
前記補正手段は、
前記尤度がしきい値以下の場合、前記ＣＱＩを低く補正することを特徴とする請求項１記載の無線送信装置。
【請求項７】
前記しきい値は、
前記ＣＱＩの値が大きいほど高く設定されることを特徴とする請求項６記載の無線送信装置。
【請求項８】
前記しきい値は、
前記ＣＱＩの値に対し複数設定されることを特徴とする請求項６記載の無線送信装置。
【請求項９】
前記しきい値は、
前記通信装置の移動速度が速いほど高く設定されることを特徴とする請求項６記載の無線送信装置。
【請求項１０】
複数の通信装置へパケットを送信する際にスケジューリングを行う無線送信装置であって、
ＣＱＩの補正が行われる通信装置に対して送信割り当ての優先度を下げる、または、送信を割り当てないことを特徴とする請求項１から請求項９のいずれかに記載の無線送信装置。
【請求項１１】
前記尤度は、
前記通信装置から送信される、ＣＱＩを含む信号の軟判定値、受信品質、または受信電力レベルが用いられることを特徴とする請求項１から請求項１０のいずれかに記載の無線送信装置。
【請求項１２】
請求項１から請求項１１のいずれかに記載の無線送信装置を具備することを特徴とする基地局装置。
【請求項１３】
請求項１から請求項１１のいずれかに記載の無線送信装置を具備することを特徴とする移動端末装置。
【請求項１４】
データを無線送信する際の伝送レートを、前記データの送信先である無線通信装置から送信されるＣＱＩに基づいて決定する伝送レート決定方法であって、
前記無線通信装置から送信される、ＣＱＩを含む信号を受信する受信ステップと、
前記ＣＱＩを含む信号の尤度に基づいて、この信号に含まれるＣＱＩを補正する補正ステップと、
補正後のＣＱＩに基づいて、前記無線通信装置へデータを無線送信する際の伝送レートを決定する伝送レート決定ステップと、
を具備することを特徴とする伝送レート決定方法。
【請求項１５】
データを無線送信する際の伝送レートを、前記データの送信先である無線通信装置から送信されるＣＱＩに基づいて決定する伝送レート決定プログラムであって、
前記無線通信装置から送信される、ＣＱＩを含む信号を受信する受信ステップと、
前記ＣＱＩを含む信号の尤度に基づいて、この信号に含まれるＣＱＩを補正する補正ステップと、
補正後のＣＱＩに基づいて、前記無線通信装置へデータを無線送信する際の伝送レートを決定する伝送レート決定ステップと、
をコンピュータに実行させることを特徴とする伝送レート決定プログラム。
【手続補正２】
【補正対象書類名】明細書
【補正対象項目名】０００８
【補正方法】変更
【補正の内容】
【０００８】
【課題を解決するための手段】
本発明の無線送信装置は、データを送信する際の伝送レートを、前記データの送信先である通信装置から送信されるＣＱＩに基づいて決定する無線送信装置であって、前記通信装置から送信される、ＣＱＩを含む信号を受信する受信手段と、前記ＣＱＩを含む信号の尤度に基づいて、この信号に含まれるＣＱＩを補正する補正手段と、補正後のＣＱＩに基づいて、前記通信装置へデータを送信する際の伝送レートを決定する伝送レート決定手段と、を具備する構成を採る。
【手続補正３】
【補正対象書類名】明細書
【補正対象項目名】０００９
【補正方法】変更
【補正の内容】
【０００９】
この構成によれば、無線送信装置が、受信した伝送レート要求（ＣＱＩ）を受信データの尤度に基づいて補正し、補正後の伝送レート要求に基づいて下り回線の伝送レートを決定するので、送信先の通信装置から送信された伝送レート要求を誤受信した場合にも、無線送信装置が送信したデータを送信先の通信装置が誤って受信することを防止し、通信システム全体のスループットを維持することができる。
【手続補正４】
【補正対象書類名】明細書
【補正対象項目名】００１０
【補正方法】変更
【補正の内容】
【００１０】
本発明の無線送信装置は、上記の構成において、前記補正手段は、前記ＣＱＩの補正の度合いを前記尤度に基づいて決定する構成を採る。
【手続補正５】
【補正対象書類名】明細書
【補正対象項目名】００１２
【補正方法】変更
【補正の内容】
【００１２】
本発明の無線送信装置は、上記の構成において、前記補正手段は、前記尤度に加えて、前記ＣＱＩの値の大きさに基づいて、このＣＱＩを補正する構成を採る。
【手続補正６】
【補正対象書類名】明細書
【補正対象項目名】００１４
【補正方法】変更
【補正の内容】
【００１４】
本発明の無線送信装置は、上記の構成において、前記補正手段は、所定値以上のＣＱＩを低く補正する構成を採る。
【手続補正７】
【補正対象書類名】明細書
【補正対象項目名】００１６
【補正方法】変更
【補正の内容】
【００１６】
本発明の無線送信装置は、上記の構成において、前記補正手段は、前記尤度に加えて、前記通信装置の移動速度に基づいて、前記ＣＱＩを補正する構成を採る。
【手続補正８】
【補正対象書類名】明細書
【補正対象項目名】００１８
【補正方法】変更
【補正の内容】
【００１８】
本発明の無線送信装置は、上記の構成において、前記補正手段は、前記尤度がしきい値以下の場合、前記ＣＱＩを低く補正する構成を採る。
【手続補正９】
【補正対象書類名】明細書
【補正対象項目名】００２０
【補正方法】変更
【補正の内容】
【００２０】
本発明の無線送信装置は、上記の構成において、前記しきい値は、前記ＣＱＩの値が大きいほど高く設定される構成を採る。
【手続補正１０】
【補正対象書類名】明細書
【補正対象項目名】００２２
【補正方法】変更
【補正の内容】
【００２２】
本発明の無線送信装置は、上記の構成において、前記しきい値は、前記ＣＱＩの値に対し複数設定される構成を採る。
【手続補正１１】
【補正対象書類名】明細書
【補正対象項目名】００２６
【補正方法】変更
【補正の内容】
【００２６】
本発明の無線送信装置は、上記いずれかに記載の無線送信装置において、複数の通信装置へパケットを送信する際にスケジューリングを行う無線送信装置であって、ＣＱＩの補正が行われる通信装置に対して送信割り当ての優先度を下げる、または、送信を割り当てない構成を採る。
【手続補正１２】
【補正対象書類名】明細書
【補正対象項目名】００２８
【補正方法】変更
【補正の内容】
【００２８】
本発明の無線送信装置は、上記いずれかに記載の無線送信装置において、前記尤度は、前記通信装置から送信される、ＣＱＩを含む信号の軟判定値、受信品質、または受信電力レベルが用いられる構成を採る。
【手続補正１３】
【補正対象書類名】明細書
【補正対象項目名】００３４
【補正方法】変更
【補正の内容】
【００３４】
本発明の伝送レート決定方法は、データを無線送信する際の伝送レートを、前記データの送信先である無線通信装置から送信されるＣＱＩに基づいて決定する伝送レート決定方法であって、前記無線通信装置から送信される、ＣＱＩを含む信号を受信する受信ステップと、前記ＣＱＩを含む信号の尤度に基づいて、この信号に含まれるＣＱＩを補正する補正ステップと、補正後のＣＱＩに基づいて、前記無線通信装置へデータを無線送信する際の伝送レートを決定する伝送レート決定ステップと、を具備するようにした。
【手続補正１４】
【補正対象書類名】明細書
【補正対象項目名】００３６
【補正方法】変更
【補正の内容】
【００３６】
本発明の伝送レート決定プログラムは、データを無線送信する際の伝送レートを、前記データの送信先である無線通信装置から送信されるＣＱＩに基づいて決定する伝送レート決定プログラムであって、前記無線通信装置から送信される、ＣＱＩを含む信号を受信する受信ステップと、前記ＣＱＩを含む信号の尤度に基づいて、この信号に含まれるＣＱＩを補正する補正ステップと、補正後のＣＱＩに基づいて、前記無線通信装置へデータを無線送信する際の伝送レートを決定する伝送レート決定ステップと、をコンピュータに実行させるようにした。